(57)【要約】      （修正有）【課題】鍵を収納ケースの内部に収納するキーケースセットを提供する。【解決手段】底部に組立部を有する鍵２０と、該鍵の組立部２１を挿入するための組立孔３１が形成される摺動ブロック３０を備え、該摺動ブロックの一側に組立て部と連通するねじ孔が形成される少なくとも１個のキーケース座１０と、前記キーケース座を収納するため少なくとも１個の収納部４１を有し、一側に該キーケース座のねじ孔と対応する摺動溝４２が形成される収納ケース４０と、一端に前記収納ケースの摺動溝から露出する押圧部５１が設けられると共に、他端に前記キーケース座のねじ孔に螺合するねじロッド５２が設けられる組立部材５０と、を備える。【選択図】図１
0003117482.tif 000002
【実用新案登録請求の範囲】
【請求項１】
底部に組立部を有する鍵と、該鍵の組立部を挿入するための組立部が形成される摺動ブロックを備え、該摺動ブロックの一側に組立て部と連通するねじ孔が形成される少なくとも１個のキーケース座と、
前記キーケース座を収納するため少なくとも１個の収納部を有し、一側に該キーケース座のねじ孔と対応する摺動溝が形成される収納ケースと、
一端に前記収納ケースの摺動溝から露出する押圧部が設けられると共に、他端に前記キーケース座のねじ孔に螺合するねじロッドが設けられる組立部材と、を備えることを特徴とするキーケースセット。
【請求項２】
さらに親収納ケースを含み、該親収納ケースに少なくとも１個の親収納部が形成され、各親収納部に少なくとも１個の前記収納ケースが収納され、該親収納部の一側に各収納ケースの摺動溝に対応する摺動溝が形成されることを特徴とする請求項１に記載のキーケースセット。
【請求項３】
さらに前記親収納ケースの開口にカバーする蓋を含み、前記鍵の組立部に組立溝が形成され、ねじロッドがねじ孔を貫通して該組立溝に位置決めされることにより、鍵と摺動ブロックの結合効果を向上することを特徴とする請求項２に記載のキーケースセット。
【考案の詳細な説明】
【技術分野】
【０００１】
本考案は、特に鍵を収納ケースの内部に収納するキーケースセットに関するものである。
【背景技術】
【０００２】
従来は、一般にキーホルダが用いられ、それは鍵を収納するために、２重リングなどに複数の鍵を取付けることにより、複数の鍵を一束にまどめるものであった。
【考案の開示】
【考案が解決しようとする課題】
【０００３】
しかしながら、従来のキーホルダでは、該露出する鍵の先端部がポケット内の例えば携帯電話のスクリーンや財布などを傷つけ、場合においては、体を傷つける恐れがあった。更に、該露出した鍵から騒音を発生する問題があった。
【０００４】
そこで、案出されたのが本考案であって、鍵を収納ケースの内部に収納するキーケースセットを提供することを目的としている。
【課題を解決するための手段】
【０００５】
本願の請求項１の考案は、底部に組立部を有する鍵と、該鍵の組立部を挿入するための組立部が形成される摺動ブロックを備え、該摺動ブロックの一側に組立て部と連通するねじ孔が形成される少なくとも１個のキーケース座と、
前記キーケース座を収納するため少なくとも１個の収納部を有し、一側に該キーケース座のねじ孔と対応する摺動溝が形成される収納ケースと、
一端に前記収納ケースの摺動溝から露出する押圧部が設けられると共に、他端に前記キーケース座のねじ孔に螺合するねじロッドが設けられる組立部材と、を備えることを特徴とするキーケースセット、を提供する。
【０００６】
本願の請求項２の考案は、さらに親収納ケースを含み、該親収納ケースに少なくとも１個の親収納部が形成され、各親収納部に少なくとも１個の前記収納ケースが収納され、該親収納部の一側に各収納ケースの摺動溝に対応する摺動溝が形成されることを特徴とする請求項１に記載のキーケースセット、を提供する。
【０００７】
本願の請求項３の考案は、さらに前記親収納ケースの開口にカバーする蓋を含み、前記鍵の組立部に組立溝が形成され、ねじロッドがねじ孔を貫通して該組立溝に位置決めされることにより、鍵と摺動ブロックの結合効果を向上することを特徴とする請求項２に記載のキーケースセット、を提供する。
【考案の効果】
【０００８】
本考案は上記の課題を解決するものであり、鍵を少なくとも１個の収納部を有するケースに伸縮可能に収納することにより、鍵を露出して他の部品を損傷する問題を防止できると共に、複数の鍵から発生する騒音も防止できる。
【考案を実施するための最良の形態】
【０００９】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００１０】
図１は本考案に係るキーケースセットの第１実施例を示す分解斜視図であり、図２は本考案に係るキーケースセットの第１実施例の使用状態を示す断面図であり、図３は本考案に係るキーケースセットの第２実施例を示す分解斜視図であり、図４は本考案に係るキーケースセットの第３実施例を示す分解斜視図であり、図５は本考案に係るキーケースセットの第４実施例を示す分解斜視図であり、図６は本考案に係るキーケースセットの第４実施例の使用状態を示す断面図であり、図７は本考案に係るキーケースセットの第４実施例の収納状態を示す断面図である。
【００１１】
図１に示すように、本考案に係るキーケースセットの第１実施例は、鍵（２０）と摺動ブロック（３０）を有し、該鍵（２０）の底部に組立部（２１）が設けられ、該摺動ブロック（３０）に該組立部（２１）を挿入するための組立孔（３１）が形成されると共に、一側に該組立孔（３１）と連通するねじ孔（３２）が形成されるキーケース座（１０）と、
一端に開口を有し、内部に前記キーケース座（１０）を収納するための収納部（４１）が形成されると共に、一側に該収納部（４１）と連通する摺動溝（４２）が形成される１溝式収納ケース（４０）と、
一端に１溝式収納ケース（４０）の摺動溝（４２）から露出する押圧部（５１）が設けられると共に、他端にキーケース座（１０）のねじ孔（３２）に螺合するねじロッド（５２）が設けられる組立部材（５０）と、を備える。又、該組立部材（５０）は、例えばボルトやねじ、又は同じ効果を有する他の部材であってもよい。
【００１２】
又、図１に示すように、前記鍵（２０）は摺動ブロック（３０）と組合わせてキーケース座（１０）となると共に、１溝式収納ケース（４０）の収納部（４１）に挿入され、組立部材（５０）のねじロッド（５２）を摺動溝（４２）を介してねじ孔（３２）に螺合することにより、鍵（２０）と摺動ブロック（３０）を結合させる。本実施例において、該鍵（２０）の組立部（２１）に外径がねじロッド（５２）より大きい組立溝（２２）が形成され、ねじロッド（５２）がねじ孔（３２）を貫通して該組立溝（２２）に位置決めすることにより、鍵（２０）と摺動ブロック（３０）の結合効果を向上する。
【００１３】
図２に示すように、使用者の指先が該摺動溝（４２）から露出する押圧部（５１）を摺動溝（４２）に沿って押圧することにより、摺動ブロック（３０）を収納部（４１）の内部に摺動することができ、該鍵（２０）を１溝式収納ケース（４０）の開口から露出した後、一般の鍵として使用することができる。又、１溝式収納ケース（４０）の摺動溝（４２）と開口との間にストッパー（４３）が設けられることにより、摺動ブロック（３０）を１溝式収納ケース（４０）から脱落することを防止できる。
【００１４】
又、図３に示すように、本考案に係るキーケースセットの第２実施例は、前記第１実施例と殆ど等しく、異なるのは、内部に２個の収納部（６１）が形成される２溝式収納ケース（６０）を有し、各収納部（６１）に夫々１個のキーケース座（１０）が収納され、該２溝式収納ケース（６０）の一側に夫々収納部（６１）と連通する摺動溝（６２）が形成される。
【００１５】
又、図４に示すように、本考案に係るキーケースセットの第３実施例は、前記第１実施例と殆ど等しく、異なるのは、内部に３個の収納部が形成される３溝式収納ケース（７０）を有することにより、三本の鍵を収納することができる。又、前記収納ケースの内部には、四個、五個又は複数個の収納部を形成してもよい。
【００１６】
図５に示すように、本考案に係るキーケースセットは、さらに親収納ケース（８０）を含み、該親収納ケース（８０）に少なくとも１個の親収納部（８１）が形成され、各親収納部（８１）に複数の１溝式又は複数溝式収納ケース（４０）（６０）を収納することができ、又、該親収納部（８１）の一側に各収納ケース（４０）（６０）の摺動溝（４２）（６２）に対応する摺動溝（８２）が形成され、図５に示した実施例において、該親収納ケース（８０）に１個の２溝式収納ケース（６０）と２個の１溝式収納ケース（４０）を収納する可能な２個の親収納部（８１）が形成され、該親収納ケース（８０）の一側に摺動溝（８２）が形成され、例えば１溝式収納ケース（４０）を親収納ケース（８０）の親収納部（８１）に挿入した後、組立部材（５０）のねじロッド（５２）が夫々摺動溝（８２）（４２）を介して摺動ブロック（３０）のねじ孔（３２）と螺合することにより、１溝式収納ケース（４０）を親収納ケース（８０）に収納することができ、又、図６に示すように、本実施例を使用する場合、前記の使用方式と等しいように鍵（２０）を親収納ケース（８０）と１溝式収納ケース（４０）から露出した後、一般の鍵として使用することができる。
【００１７】
又、図５に示すように、本考案に係るキーケースセットの第４実施例は、さらに親収納ケース（８０）の開口にカバーする蓋（９０）を含み、図７に示すように、鍵（２０）を親収納ケース（８０）と１溝式収納ケース（４０）に収納する際、塵埃や異物を親収納ケース（８０）又は１溝式収納ケース（４０）に落ち込むことを防止できる。
【産業上の利用可能性】
【００１８】
本考案は上記の構成を有するので、鍵を少なくとも１個の収納部を有する収納ケースに伸縮可能に収納することにより、鍵を露出して他の部品を損傷する問題を防止できると共に、複数の鍵から発生する騒音も防止できる。
【図面の簡単な説明】
【００１９】
【図１】本考案に係るキーケースセットの第１実施例を示す分解斜視図である。
【図２】本考案に係るキーケースセットの第１実施例の使用状態を示す断面図である。
【図３】本考案に係るキーケースセットの第２実施例を示す分解斜視図である。
【図４】本考案に係るキーケースセットの第３実施例を示す分解斜視図である。
【図５】本考案に係るキーケースセットの第４実施例を示す分解斜視図である。
【図６】本考案に係るキーケースセットの第４実施例の使用状態を示す断面図である。
【図７】本考案に係るキーケースセットの第４実施例の収納状態を示す断面図である。
【符号の説明】
【００２０】
１０        キーケース座
２０        鍵
２１        組立部
２２        組立溝
３０        摺動ブロック
３１        組立孔
３２        ねじ孔
４０        １溝式収納ケース
４１        収納部
４２        摺動溝
４３        ストッパー
５０        組立部材
５１        押圧部
５２        ねじロッド
６０        ２溝式収納ケース
６１        収納部
６２        摺動溝
７０        ３溝式収納ケース
８０        親収納ケース
８１        親収納部
８２        摺動溝
９０        蓋
【図１】
0003117482.tif 000003
【図２】
0003117482.tif 000004
【図３】
0003117482.tif 000005
【図４】
0003117482.tif 000006
【図５】
0003117482.tif 000007
【図６】
0003117482.tif 000008
【図７】
0003117482.tif 000009